(57)【要約】【課題】迅速に無線エリアの形成を行うことが可能な無線中継装置、監視装置、無線中継装置の識別符号決定方法を提供する。【解決手段】無線中継装置３０は、中継対象の基地局１０からの基地局識別符号を受信し、この受信した基地局識別符号に基づいて暫定装置識別符号を決定して監視装置５０へ送信する。監視装置５０は、受信した暫定装置識別符号が他の無線中継装置の正規装置識別符号と重複しない場合には、暫定装置識別符号をそのまま無線中継装置３０へ送信し、重複する場合には、暫定装置識別符号とは別の装置識別符号を決定し、無線中継装置３０へ送信する。無線中継装置３０は、監視装置５０は、受信した装置識別符号を、正規装置識別符号として決定する。更に、無線中継装置３０は、この正規装置識別符号により、運用を再開する。【選択図】　　　　図１
2004056589.tif 000002
【特許請求の範囲】
【請求項１】
移動通信システムにて、基地局と移動局との通信を中継する無線中継装置において、
中継の対象となる基地局からの該基地局の識別符号を受信する基地局識別符号受信手段と、
前記基地局識別符号受信手段により受信された基地局の識別符号に基づいて、自装置の暫定的な第１の識別符号を決定する第１の識別符号決定手段と、
前記第１の識別符号決定手段により決定された自装置の暫定的な第１の識別符号を、前記移動通信システムを監視する監視装置へ送信する識別符号送信手段と、
前記監視装置からの第２の識別符号を受信する識別符号受信手段と、
前記識別符号受信手段により受信された第２の識別符号を自装置の正規の識別符号として決定する第２の識別符号決定手段と、
を備えることを特徴とする無線中継装置。
【請求項２】
請求項１に記載の無線中継装置において、
前記自装置の正規の識別符号を変更する必要があるか否かを判定する変更判定手段を備え、
前記第１の識別符号決定手段は、前記変更判定手段により自装置の正規の識別符号を変更する必要があると判定された場合に、前記基地局識別符号受信手段により受信された新たな基地局の識別符号に基づいて、自装置の暫定的な第１の識別符号を決定することを特徴とする無線中継装置。
【請求項３】
請求項２に記載の無線中継装置において、
前記第１の識別符号決定手段は、前記基地局の識別符号の一部と予め保持する無線中継装置固有の符号とを組み合わせた自装置の暫定的な第１の識別符号を決定することを特徴とする無線中継装置。
【請求項４】
請求項１乃至３の何れかに記載の無線中継装置において、
前記第２の識別符号決定手段により決定された自装置の正規の識別符号を含んだ監視情報を前記監視装置へ送信する監視情報送信手段を備えることを特徴とする無線中継装置。
【請求項５】
基地局と、移動局と、前記基地局と前記移動局との通信を中継する無線中継装置とを備える移動通信システムにて、該移動通信システムを監視する監視装置において、
前記無線中継装置からの該無線中継装置の暫定的な第１の識別符号を受信する識別符号受信手段と、
前記無線中継装置へ該無線中継装置の正規な第２の識別符号を決定する識別符号決定手段と、
前記無線中継装置へ前記識別符号決定手段により決定された該無線中継装置の正規な第２の識別符号を送信する識別符号送信手段と、
を備える監視装置。
【請求項６】
請求項５に記載の監視装置において、
前記識別符号決定手段は、他の無線中継装置の正規な識別符号と重複しない前記第２の識別符号を決定することを特徴とする監視装置。
【請求項７】
基地局と、移動局と、前記基地局と前記移動局との通信を中継する無線中継装置と、移動通信システムを監視する監視装置とを備える移動通信システムにて、前記無線中継装置の識別符号を決定する識別符号決定方法において、
前記無線中継装置は、
中継の対象となる基地局からの該基地局の識別符号を受信し、
前記受信した基地局の識別符号に基づいて、自装置の暫定的な第１の識別符号を決定し、
前記決定した自装置の暫定的な第１の識別符号を、前記監視装置へ送信し、
前記監視装置は、
前記無線中継装置からの第１の識別符号を受信し、
前記無線中継装置へ第２の識別符号を送信し、
前記無線中継装置は、
前記監視装置からの第２の識別符号を受信し、
前記受信した第２の識別符号を自装置の正規の識別符号として決定することを特徴とする識別符号決定方法。
【発明の詳細な説明】
【０００１】
【発明の属する技術分野】
本発明は、移動通信システムにて、基地局と移動局との通信を中継する無線中継装置、移動通信システムを監視する監視装置、無線中継装置の識別符号を決定する方法に関する。
【０００２】
【従来の技術】
移動通信システムにおいては、基地局と、当該基地局によって構成されるセル内の移動局との間で通信が行われる。ところが、セル内であってもビルの陰など、基地局からの電波が届きにくく、通信環境が悪い場所が存在することがある。
このため、基地局と移動局との通信を中継するために無線中継装置が用いられることがある。
【０００３】
また、移動通信システムには、各無線中継装置を監視する監視装置が構成されることがある。各無線中継装置は、この監視装置に対して監視に必要な情報（監視情報）を送信する。その際、各無線中継装置は、監視装置が監視情報の送信元を特定することができるように、監視情報に自装置の識別符号を含ませて送信する。
【０００４】
この無線中継装置の識別符号は、以下のようにして決定される。即ち、保守者は、無線中継装置を新たに設置する際に、設置場所に基づいて中継対象となる基地局を予め特定する。そして、保守者は、その特定した基地局の識別符号に対して所定の関連付けがされた無線中継装置の識別符号を決定して、無線中継装置へ書き込む作業を行っている。無線中継装置の識別符号を基地局の識別符号に対して所定の関連付けさせるのは、無線中継装置の識別符号により、事業者や、当該無線中継装置の中継対象となる基地局、該基地局によって構成される一斉呼出しエリアを判別可能とするためである。
【０００５】
また、基地局に障害が発生したり、新たな基地局が設置される場合等には、中継対象の基地局が変更される。この場合にも、保守者は、新たな中継対象となる基地局を予め特定する。そして、保守者は、その特定した基地局の識別符号に対して所定の関連付けがされた識別符号を決定して、無線中継装置へ書き込む作業を行っている。
【０００６】
【発明が解決しようとする課題】
上述したように、従来は、無線中継装置が新たに設置されたり、中継対象の基地局が変更される際に、保守者がその都度、中継対象となる基地局を調査し、その中継対象の基地局の識別符号に対して所定の関連付けがされた識別符号を決定し、更に決定した識別符号を無線中継装置へ書き込む作業を行わなければならず、作業が煩雑となり、人手を介することによる人為的ミスも生じやすい。その結果、無線中継装置の運用が開始されるまでに時間がかかり、迅速に無線エリアを形成することができないという問題があった。
【０００７】
本発明は、上記問題点を解決するものであり、その目的は、迅速に無線エリアの形成を行うことが可能な無線中継装置、監視装置、無線中継装置の識別符号決定方法を提供することにある。
【０００８】
【課題を解決するための手段】
上記の目的を達成するため、本発明は請求項１に記載されるように、移動通信システムにて、基地局と移動局との通信を中継する無線中継装置において、中継の対象となる基地局からの該基地局の識別符号を受信する基地局識別符号受信手段と、前記基地局識別符号受信手段により受信された基地局の識別符号に基づいて、自装置の暫定的な第１の識別符号を決定する第１の識別符号決定手段と、前記第１の識別符号決定手段により決定された自装置の暫定的な第１の識別符号を、前記移動通信システムを監視する監視装置へ送信する識別符号送信手段と、前記監視装置からの第２の識別符号を受信する識別符号受信手段と、前記識別符号受信手段により受信された第２の識別符号を自装置の正規の識別符号として決定する第２の識別符号決定手段とを備えることを特徴とする。
【０００９】
また、本発明は請求項２に記載されるように、前記無線中継装置において、前記自装置の正規の識別符号を変更する必要があるか否かを判定する変更判定手段を備え、前記第１の識別符号決定手段は、前記変更判定手段により自装置の正規の識別符号を変更する必要があると判定された場合に、前記基地局識別符号受信手段により受信された新たな基地局の識別符号に基づいて、自装置の暫定的な第１の識別符号を決定することを特徴とする。
【００１０】
また、本発明は請求項３に記載されるように、前記無線中継装置において、前記第１の識別符号決定手段は、前記基地局の識別符号の一部と予め保持する無線中継装置固有の符号とを組み合わせた自装置の暫定的な第１の識別符号を決定することを特徴とする。
【００１１】
また、本発明は請求項４に記載されるように、前記無線中継装置において、前記第２の識別符号決定手段により決定された自装置の正規の識別符号を含んだ監視情報を前記監視装置へ送信する監視情報送信手段を備えることを特徴とする。
【００１２】
また、本発明は請求項５に記載されるように、基地局と、移動局と、前記基地局と前記移動局との通信を中継する無線中継装置とを備える移動通信システムにて、該移動通信システムを監視する監視装置において、前記無線中継装置からの該無線中継装置の暫定的な第１の識別符号を受信する識別符号受信手段と、前記無線中継装置へ該無線中継装置の正規な第２の識別符号を決定する識別符号決定手段と、前記無線中継装置へ前記識別符号決定手段により決定された該無線中継装置の正規な第２の識別符号を送信する識別符号送信手段とを備える。
【００１３】
また、本発明は請求項６に記載されるように、前記監視装置において、前記識別符号決定手段は、他の無線中継装置の正規な識別符号と重複しない前記第２の識別符号を決定することを特徴とする。
【００１４】
また、本発明は請求項７に記載されるように、基地局と、移動局と、前記基地局と前記移動局との通信を中継する無線中継装置と、移動通信システムを監視する監視装置とを備える移動通信システムにて、前記無線中継装置の識別符号を決定する識別符号決定方法において、前記無線中継装置は、中継の対象となる基地局からの該基地局の識別符号を受信し、前記受信した基地局の識別符号に基づいて、自装置の暫定的な第１の識別符号を決定し、前記決定した自装置の暫定的な第１の識別符号を、前記監視装置へ送信し、前記監視装置は、前記無線中継装置からの第１の識別符号を受信し、前記無線中継装置へ第２の識別符号を送信し、前記無線中継装置は、前記監視装置からの第２の識別符号を受信し、前記受信した第２の識別符号を自装置の正規の識別符号として決定することを特徴とする。
【００１５】
本発明によれば、無線中継装置は、中継の対象となる基地局からの該基地局の識別符号を受信し、この受信した基地局の識別符号に基づいて自装置の暫定的な第１の識別符号を決定して監視装置へ送信しており、監視装置から識別符号を受信した場合には、その受信した識別符号を自装置の正規の識別符号として決定する。従って、従来のように、保守者が煩雑な作業を行う必要がなく、無線中継装置の運用開始までの時間を短縮し、迅速に無線エリアを形成することができる。
【００１６】
【発明の実施の形態】
以下、本発明の実施の形態を図面に基づいて説明する。図１は、本発明の実施の形態に係る移動通信システムの構成例を示す図である。同図は、例えばＰＨＳ（Ｐｅｒｓｏｎａｌ　Ｈａｎｄｙｐｈｏｎｅ　Ｓｙｓｔｅｍ）の通信システムである。この移動通信システムは、基地局１０、移動局２０、無線中継装置３０、通信網４０及び監視装置５０により構成される。
【００１７】
無線中継装置３０は、基地局１０と移動局２０との無線区間における通信を中継する。この無線中継装置３０は、送受信部１０２、１０４、通信制御部１０６、記憶部１０８、無線中継装置識別符号決定部１１０及び変更判定部１１２を備える。
【００１８】
送受信部１０２は、基地局１０との間で通信を行う。一方、送受信部１０４は、移動局２０との間で通信を行う。通信制御部１０６は、送受信部１０２によって受信された基地局１０からの信号を送受信部１０４へ出力し、送受信部１０４によって受信された移動局２０からの信号を送受信部１０２へ出力しており、基地局１０と移動局２０との通信の中継に関する制御を行う。
【００１９】
また、通信制御部１０６は、無線中継装置３０の稼動状況を監視し、送受信部１０２、基地局１０及び通信網４０を介して、監視装置５０へ監視に必要な情報（監視情報）を送信する。この際、通信制御部１０６は、監視装置５０が監視情報の送信元を特定することができるように、監視情報に無線中継装置３０の識別符号（装置識別符号）を含ませて送信する。この装置識別符号は、無線中継装置３０の中継対象となっている基地局１０の識別符号（基地局識別符号）に基づいて、決定される。具体的には、以下に示す処理が行われる。
【００２０】
無線中継装置３０が新たに設置され、電源がオンされた場合、通信制御部１０６は、中継対象の基地局１０を決定する。具体的には、通信制御部１０６は、基地局から送信される止まり木チャネルの受信を試みることにより、周辺の基地局を検索し、受信することができた場合には、その受信した止まり木チャネルの送信元の基地局を中継対象の候補となる基地局として決定する。更に、通信制御部１０６は、中継対象の候補となる基地局のうち、最も受信レベルの高い止まり木チャネルの送信元の基地局を中継対象の基地局１０として決定する。
【００２１】
このようにして中継対象の基地局１０が決定された後、通信制御部１０６は、送受信部１０２を介して、当該中継対象の基地局１０から送信される基地局識別符号を受信し、記憶部１０８に記憶する。
【００２２】
図２は、基地局識別符号の構造の一例を示す図である。同図に示す基地局識別符号は、９ビットの事業者識別符号、１６ビットの一斉呼び出しエリア識別符号、１１ビットの基地局固有符号により構成される。
【００２３】
再び図１に戻って説明する。無線中継装置識別符号決定部１１０は、記憶部１０８に記憶された基地局識別符号に基づいて、無線中継装置３０の識別符号（装置識別符号）の暫定的なもの（暫定装置識別符号）を決定し、記憶部１０８へ記憶する。
【００２４】
図３は、装置識別符号の構造の一例を示す図である。同図に示す装置識別符号は、基地局を一意に特定することが可能な符号であり、９ビットの事業者識別符号、１６ビットの一斉呼び出しエリア識別符号、１１ビットの無線中継装置固有符号により構成される。これらのうち、事業者識別符号と一斉呼び出しエリア符号は、記憶部１０８に記憶された基地局識別符号内の事業者識別符号と一斉呼び出しエリア符号と同一である。また、無線中継装置固有符号は予め無線中継装置３０内に保持されている。
【００２５】
再び図１に戻って説明する。通信制御部１０６は、この暫定装置識別符号により、運用を開始する。具体的には、通信制御部１０６は、無線中継装置３０の稼動状況を監視する。更に通信制御部１０６は、監視装置５０へ監視情報を送信する際、当該監視情報に、記憶部１０８に記憶された暫定装置識別符号と基地局識別符号とを含ませて送信する。
【００２６】
また、送受信部１０２は、記憶部１０８に記憶された暫定装置識別符号を含んだ立ち上げ完了報告メッセージを、基地局１０及び通信網４０を介して監視装置５０へ送信する。
【００２７】
監視装置５０は、送受信部２０２及び無線中継装置識別符号決定部２０４を備える。送受信部２０２は、無線中継装置３０からの立ち上げ完了報告メッセージを受信し、無線中継装置識別符号決定部２０４へ出力する。
【００２８】
無線中継装置識別符号決定部２０４は、移動通信システムを構成する全ての無線中継装置の正規の識別符号を管理している。この無線中継装置識別符号決定部２０４は、立ち上げ完了報告メッセージが入力されると、無線中継装置３０の装置識別符号を決定する。この際、無線中継装置識別符号決定部２０４は、他の無線中継装置の正規の装置識別符号と重複しないように、無線中継装置３０の装置識別符号を決定する。
【００２９】
次に、無線中継装置識別符号決定部２０４は、決定した装置識別符号を立ち上げ完了報告メッセージ応答に含ませる。更に、無線中継装置識別符号決定部２０４は、この立ち上げ完了報告メッセージ応答を、送受信部２０２、通信網４０及び基地局１０を介して、立ち上げ完了報告メッセージの送信元である無線中継装置３０へ送信する。
【００３０】
無線中継装置３０内の送受信部１０２は、監視装置５０からの立ち上げ完了報告メッセージ応答を受信し、当該立ち上げ完了報告メッセージ応答に含まれる装置識別符号を無線中継装置識別符号決定部１１０へ出力する。無線中継装置識別符号決定部１１０は、入力された装置識別符号を、正規の無線中継装置３０の識別符号（正規装置識別符号）として決定し、記憶部１０８に記憶する。更に、無線中継装置識別符号決定部１１０は、正規装置識別符号を受信した旨を示すフラグ（受信フラグ）を立てる。
【００３１】
通信制御部１０６は、この正規装置識別符号により、運用を再開する。具体的には、通信制御部１０６は、無線中継装置３０の稼動状況を監視する。更に通信制御部１０６は、監視装置５０へ監視情報を送信する際、受信フラグが立っているか否かを判定し、受信フラグが立っている場合には、記憶部１０８に記憶された正規装置識別符号を含ませて送信する。
【００３２】
ところで、基地局に障害が発生したり、新たな基地局が設置される場合等には、無線中継装置２０における中継対象の基地局が変更される。この場合、装置識別符号は以下のようにして決定される。
【００３３】
通信制御部１０６は、中継対象の基地局１０との間における同期はずれを検出すると、通信制御部１０６は、新たな中継対象の基地局１０を決定する。具体的には、通信制御部１０６は、基地局から送信される止まり木チャネルの受信を試みることにより、周辺の基地局を検索し、受信することができた場合には、その受信した止まり木チャネルの送信元の基地局を中継対象の候補となる基地局として決定する。
【００３４】
変更判定部１１２は、送受信部１０２を介して、中継対象の候補となる１又は複数の基地局から送信される基地局識別符号を受信すると、当該中継対象の候補となる１又は複数の基地局からの基地局識別符号のうち、記憶部１０８に記憶している、正規装置識別符号内の事業者識別符号及び一斉呼び出しエリア符号と同一の事業者識別符号及び一斉呼び出しエリア符号を含んだ基地局識別符号が存在するか否かを判定する。
【００３５】
記憶部１０８に記憶している、正規装置識別符号内の事業者識別符号及び一斉呼び出しエリア符号と同一の事業者識別符号及び一斉呼び出しエリア符号を含んだ基地局識別符号が存在する場合には、変更判定部１１２は、正規装置識別符号の変更の必要はないと判定する。この場合、通信制御部１０８は、記憶部１０８内の正規装置識別符号を継続して利用し、運用を行う。
【００３６】
一方、記憶部１０８に記憶している、正規装置識別符号内の事業者識別符号及び一斉呼び出しエリア符号と同一の事業者識別符号及び一斉呼び出しエリア符号を含んだ基地局識別符号が存在しない場合には、変更判定部１１２は、正規装置識別符号の変更の必要があると判定する。この場合、変更判定部１１２は、受信フラグを削除する。
【００３７】
受信フラグの削除後、通信制御部１０６は、中継対象の基地局１０を決定し、当該中継対象の基地局１０から送信される基地局識別符号を記憶部１０８に記憶する。そして、無線中継装置識別符号決定部１１０は、記憶部１０８に記憶された基地局識別符号に基づいて、暫定装置識別符号を決定し、記憶部１０８へ記憶する。更に、送受信部１０２は、記憶部１０８に記憶されている暫定装置識別符号を含んだ立ち上げ完了報告メッセージを、基地局１０及び通信網４０を介して監視装置５０へ送信し、通信制御部１０６は、この暫定装置識別符号により、運用を開始する。
【００３８】
そして、送受信部１０２は、監視装置５０からの立ち上げ完了報告メッセージ応答を受信すると、当該立ち上げ完了報告メッセージ応答に含まれる装置識別符号を無線中継装置識別符号決定部１１０へ出力する。無線中継装置識別符号決定部１１０は、入力された装置識別符号を、正規装置識別符号として決定し、記憶部１０８に記憶するとともに、受信フラグを立てる。通信制御部１０６は、この正規装置識別符号により、運用を開始する。
【００３９】
次に、フローチャートを参照しつつ、無線中継装置３０の動作を説明する。図４は、電源オン時における無線中継装置３０の動作を示すフローチャートである。
【００４０】
無線中継装置３０は、電源がオンされると（ステップ１０１）、周辺の基地局を検索し（ステップ１０２）、周辺に基地局が存在するか否かを判定する（ステップ１０３）。周辺の基地局が存在する場合には、無線中継装置３０は、最も受信レベルの高い信号（例えば止まり木チャネル）の送信元の基地局を中継対象の基地局１０として決定する（ステップ１０４）。
【００４１】
このようにして中継対象の基地局１０が決定された後、無線中継装置３０は、当該中継対象の基地局１０から送信される基地局識別符号を受信し、当該基地局識別符号内の事業者識別符号及び一斉呼び出しエリア識別符号と、予め保持している無線中継装置固有符号とを含んだ暫定装置識別符号を決定し、記憶する（ステップ１０５）。更に、無線中継装置３０は、この暫定装置識別符号により、運用を開始する（ステップ１０６）。
【００４２】
図５は運用開始後における無線中継装置３０の動作を示すフローチャートである。無線中継装置３０は、運用中において（ステップ２０１）、暫定装置識別符号を含んだ立ち上げ完了報告メッセージを、監視装置５０へ送信する（ステップ２０２）。
【００４３】
監視装置５０は、無線中継装置３０からの立ち上げ完了報告メッセージを受信すると、無線中継装置３０の装置識別符号を決定する。さらに、監視装置５０は、決定した装置識別符号を立ち上げ完了報告メッセージ応答に含ませて、無線中継装置３０へ送信する。
【００４４】
無線中継装置３０は、監視装置５０からの立ち上げ完了報告メッセージ応答を受信すると（ステップ２０３）、当該立ち上げ完了報告メッセージ応答に含まれる装置識別符号を、正規装置識別符号として決定し、記憶する（ステップ２０５）。更に、無線中継装置３０は、受信フラグを立てる（ステップ２０５）。その後、無線中継装置３０は、正規装置識別符号により運用を再開する（ステップ２０６）。
【００４５】
図６は、中継対象の基地局１０との同期はずれが生じた場合における無線中継装置３０の動作を示すフローチャートである。無線中継装置３０は、中継対象の基地局１０との間における同期はずれを検出すると（ステップ３０１）、周辺の基地局を検索し（ステップ３０２）、周辺に基地局が存在するか否かを判定する（ステップ３０３）。周辺に基地局が存在する場合には、無線中継装置３０は、その周辺の基地局からの基地局識別符号のうち、記憶している正規装置識別符号内の事業者識別符号及び一斉呼び出しエリア符号と同一の事業者識別符号及び一斉呼び出しエリア符号を含んだ基地局識別符号が存在するか否かを判定する（ステップ３０４）。
【００４６】
記憶している正規装置識別符号内の事業者識別符号及び一斉呼び出しエリア符号と同一の事業者識別符号及び一斉呼び出しエリア符号を含んだ基地局識別符号が存在する場合には、正規装置識別符号の変更の必要はない。この場合、無線中継装置３０は、記憶している正規装置識別符号を継続して利用し、運用を開始する（ステップ３０５）。
【００４７】
一方、記憶している正規装置識別符号内の事業者識別符号及び一斉呼び出しエリア符号と同一の事業者識別符号及び一斉呼び出しエリア符号を含んだ基地局識別符号が存在しない場合には、無線中継装置３０は、受信フラグを削除する（ステップ３０６）。その後、図４のステップ１０４（中継対象の基地局の決定）以降の動作が繰り返される。
【００４８】
このように、本実施形態の移動通信システムでは、無線中継装置３０は、中継対象の基地局１０からの基地局識別符号を受信し、この受信した基地局識別符号に基づいて暫定装置識別符号を決定して監視装置５０へ送信しており、監視装置５０から装置識別符号を受信した場合には、その受信した装置識別符号を正規装置識別符号として決定する。従って、従来のように、保守者が煩雑な作業を行う必要がなく、無線中継装置３０の運用開始までの時間を短縮し、迅速に無線エリアを形成することができる。
【００４９】
また、正規装置識別符号が変更される場合には、無線中継装置３０は、直ちに新たな暫定装置識別符号を監視装置５０へ送信し、監視装置５０は、正規装置識別符号となるべき装置識別符号を無線中継装置３０へ送り返しており、迅速に無線中継装置３０と監視装置５０との間で正規装置識別符号の同期がとられるため、監視装置５０における監視を適切に行うことができる。
【００５０】
更に、無線中継装置３０は、基地局１０との間の同期はずれが生じた場合であっても、受信した基地局識別符号の中に、記憶している正規装置識別符号内の事業者識別符号及び一斉呼び出しエリア符号と同一の事業者識別符号及び一斉呼び出しエリア符号を含んだ基地局識別符号が存在する場合には、正規装置識別符号を変更する必要がないため、暫定装置識別符号の決定等、正規装置識別符号を変更する処理を行わない。このため、正規装置識別符号の変更をできるだけ少なくし、処理負担の軽減を図ることができる。
【００５１】
また、暫定装置識別符号に、無線中継装置３０に固有の符号（無線中継装置固有符号）を含ませることにより、監視装置５０は、変更前後の暫定装置識別符号を関連付けることが可能となり、無線中継装置３０の特定の誤りを防止することができる。
【００５２】
【発明の効果】
本発明によれば、無線中継装置は、中継の対象となる基地局からの該基地局の識別符号を受信し、この受信した基地局の識別符号に基づいて自装置の暫定的な第１の識別符号を決定して監視装置へ送信しており、監視装置から識別符号を受信した場合には、その受信した識別符号を自装置の正規の識別符号として決定する。従って、従来のように、保守者が煩雑な作業を行う必要がなく、無線中継装置の運用開始までの時間を短縮し、迅速に無線エリアを形成することができる。
【図面の簡単な説明】
【図１】移動通信システムの構成例を示す図である。
【図２】基地局識別符号の構造の一例を示す図である。
【図３】装置識別符号の構造の一例を示す図である。
【図４】電源オン時における無線中継装置の動作を示すフローチャートである。
【図５】運用開始後における無線中継装置の動作を示すフローチャートである。
【図６】中継対象の基地局との同期はずれが生じた場合における無線中継装置の動作を示すフローチャートである。
【符号の説明】
１０　基地局
２０　移動局
３０　無線中継装置
４０　通信網
５０　監視装置
１０２、１０４、２０２　送受信部
１０６　通信制御部
１０８　記憶部
１１０、２０４　無線中継装置識別符号決定部
１１２　変更判定部
【図１】
2004056589.tif 000003
【図２】
2004056589.tif 000004
【図３】
2004056589.tif 000005
【図４】
2004056589.tif 000006
【図５】
2004056589.tif 000007
【図６】
2004056589.tif 000008